(57)【要約】【課題】  電源投入後、本編再生やメニュー表示の前に再生されるタイトルであるファーストプレイを通常の１倍速再生より早く再生するユーザー操作を自動実行するディスク再生装置。【解決手段】信号処理手段（１５）は、各種データの構造を解析しメニュー状態を検知するメニュー検知手段（１７）と、各種データから本編再生状態を検知する本編検知手段（１８）と、信号処理手段（１５）が、電源投入後、Ｆｉｒｓｔ  Ｐｌａｙｂａｃｋが有ると判断すると、メニュー検知手段（１７）によるメニュー状態の検知、または本編検知手段（１８）による本編再生状態の検知があるまで、現在再生中のタイトルを通常の１倍速再生より速く再生するユーザー操作を自動実行するユーザー操作手段（１９）とを備える。【選択図】図１
2011155559.tif 000002
【特許請求の範囲】
【請求項１】
少なくともメニュー、および本編などの複数のタイトル毎に管理されたディスクを再生するディスク再生装置であって、
前記ディスクに保持される各種データを取得し、前記各種データの信号処理を行う信号処理手段と、
前記各種データの構造を解析しメニュー状態を検知するメニュー検知手段と、
前記各種データから本編再生状態を検知する本編検知手段と、
前記信号処理手段が、電源投入後、前記Ｆｉｒｓｔ  Ｐｌａｙｂａｃｋが有ると判断すると、前記メニュー検知手段によるメニュー状態の検知、または前記本編検知手段による本編再生状態の検知があるまで、現在再生中のタイトルを通常の１倍速再生より速く再生するユーザー操作を自動実行するユーザー操作手段と、
を有するディスク再生装置。
【請求項２】
前記ユーザー操作手段が自動実行するユーザー操作は、Ｍｅｎｕ  Ｃａｌｌ、Ｃｈａｐｔｅｒ  Ｓｅａｒｃｈ、Ｔｉｍｅ  Ｓｅａｒｃｈ、Ｓｋｉｐ  ｔｏ  Ｎｅｘｔ  ｐｏｉｎｔ、およびＦｏｒｗａｒｄ  Ｐｌａｙのいずれかであることを特徴とする請求項１に記載のディスク再生装置。
【請求項３】
前記複数のタイトルは、複数のプレイリストにより構成され、
前記メニュー検知手段は、所定タイトルのプレイリストを所定回数以上繰り返し再生しているときメニュー状態であると判断することを特徴とする請求項１記載のディスク再生装置。
【請求項４】
前記本編検知手段は、前記ディスクに保持されるディスク管理情報から本編再生状態か否かを判断することを特徴とする請求項１記載のディスク再生装置。
【請求項５】
前記本編検知手段は、以下の条件（１）から条件（６）のいずれかを満たすことで本編に遷移したと検知することを特徴とする請求項４に記載のディスク再生装置。
条件（１）：ＰＯＰ−ＵＰ  ＭＥＮＵが存在するプレイリストであること。
条件（２）：プレイアイテムが所定時間以上かつＵＯマスクがないこと。
条件（３）：プレイアイテムが所定時間以上かつ複数チャプターが存在すること。
条件（４）：プレイアイテムが所定時間以上かつ複数字幕が存在すること。
条件（５）：プレイアイテムが所定時間以上かつ複数音声が存在すること。
条件（６）：プレイアイテムが所定時間以上かつプレイリストとプレイアイテムの再生時間が略同じこと。
【請求項６】
前記ユーザー操作手段は、車両走行中にユーザー操作を自動実行することを特徴とする請求項１に記載のディスク再生装置。
【請求項７】
前記ディスクは、ＢＤ−Ｊタイトルを含むことを特徴とする請求項１に記載のディスク再生装置。
【発明の詳細な説明】
【技術分野】
【０００１】
本発明は、ＢＤ−ＲＯＭ（Ｂｌｕ−ｒａｙ−Ｒｅａｄ−Ｏｎｌｙ−Ｍｅｍｏｒｙ）などの記録媒体に記録されたデータを再生するディスク再生装置に関するものである。
【背景技術】
【０００２】
近年、高画質、高音質で高度なインタラクティブ機能を有し、大容量の情報を記録した光ディスクを再生する光ディスク再生装置が一般家庭にも広く普及している。
【０００３】
代表的な大容量の光ディスクには、ブルーレイディスク（ＢＤ：Ｂｌｕ−ｒａｙ  Ｄｉｓｃ、以下「ＢＤ」と言う。）がある。ＢＤは、単層で２５ギガバイト（ＧＢ：Ｇｉｇａ
Ｂｙｔｅ）、２層で５０ＧＢの膨大なデータ容量を備えており、ハイビジョン画質の映画コンテンツを蓄積できる。このＢＤを用いた市販やレンタル用のパッケージソフトは、製造過程でデータが書込まれ、追記や書換えができない読み出し専用メディアであるＢＤ−ＲＯＭにより提供されている。
【０００４】
このＢＤ−ＲＯＭは、ＨＤＭＶモードとＢＤ−Ｊモードの二つの仕様が策定されている。ＨＤＭＶモードは、従来のＤＶＤ−ＲＯＭに対して、映像・音声のコーデック仕様が拡張されたもので、高精細映像、高品質オーディオが利用できる。なお、コンテンツ仕様はＤＶＤ−ＲＯＭと同様である。ＢＤ−Ｊモードは、ＨＤＭＶモードに加え、Ｊａｖａ（登録商標）アプリケーションによって、映像を重ね合わせるなどビジュアル的な表現を追加することができる。
【０００５】
ここで、ＢＤ−ＲＯＭをディスク再生装置で再生する際の動作を説明する。
【０００６】
パッケージソフトなどＢＤ−ＲＯＭは、再生可能な複数のタイトル毎に管理されている。それらタイトルの中で電源投入後、本編再生やメニュー表示の前に再生されるタイトルが存在する（以降、このタイトルをファーストプレイと呼ぶ）。ファーストプレイは、他パッケージソフトの紹介や映画の予告編、または音場再生技術のデモコンテンツなどがある。なお、１倍速で再生する場合、ファーストプレイの再生時間が５分にもなるパッケージも存在する。
【０００７】
また、ファーストプレイを含む各タイトルは、ユーザーオペレーションマスク（ＵＯ  マスク：Ｕｓｅｒ  Ｏｐｅｒａｔｉｏｎ  Ｍａｓｋ、以降ＵＯマスクと呼ぶ）により、ユーザー操作を制限することができる。ＵＯマスクとは、メニュー画面のボタン操作、メニュー移動、タイトルスキップ、再生中止、チャプター選択、早送り、逆戻しなど、ユーザーがパッケージソフトを視聴する際に使用するユーザー操作制限のことである。
【０００８】
ＵＯマスクが設定されている場合、ユーザー操作が行われても、それを受け付けるソフトウェアモジュールによりユーザー操作に制限をかける。この機能により、コンテンツプロバイダーの意図した動作を実現することが可能となる。
【０００９】
そこで、家庭用のブルーレイディスク再生装置では、ディスク挿入後できるだけ早く本編映像を再生したい場合、ファーストプレイにＵＯマスクが設定されていなければ、リモコン操作により、メニュー移動、タイトルスキップや早送りなどのユーザー操作を実施し、ファーストプレイ時間を短縮することができる。
【００１０】
また、ＢＤ−ＲＯＭ再生装置を自動車内で使用する際、ＣＤ再生装置のようにＧＵＩを
介さない操作により、光ディスク等の記録媒体に記録されたデジタルストリームを再生することが提案されている（例えば、特許文献１参照）。
【先行技術文献】
【特許文献】
【００１１】
【特許文献１】特開２００９−１７６４１１号公報
【発明の概要】
【発明が解決しようとする課題】
【００１２】
しかしながら、ディスク再生装置が自動車内で使用される多くの場合、車両走行中は運転手がディスク再生装置を操作することが禁止されており、リモコン操作でファーストプレイの再生時間を短縮することができない。
【００１３】
特に、ＢＤ−Ｊタイトルでは、エンジンを切った後や電源瞬断発生後に再生を再開するとき、続き再生（リジューム再生）を実施するには多くのメモリが必要となるなど実用的ではない。そのため、通常これらの現象が発生した場合は、再びファーストプレイから再生する。例えば、ドライブ中に休憩のためにエンジンを切ると、休憩後に再び電源を入れると毎回同じ内容のファーストプレイが数分間再生され、その後本編映像が再生されることとなる。
【００１４】
本発明は、従来の問題を解決するためになされたもので、ファーストプレイを自動的に短縮して再生することで、電源の入り切りが多い環境においてメニュー表示もしくは本編再生へ進む時間を短くすることができる光ディスク装置を提供することを目的とする。
【課題を解決するための手段】
【００１５】
上記課題を解決するために、本発明の第１の局面は、少なくともメニュー、および本編などの複数のタイトル毎に管理されたディスクを再生するディスク再生装置であって、ディスクに保持される各種データを取得し、各種データの信号処理を行う信号処理手段と、各種データの構造を解析しメニュー状態を検知するメニュー検知手段と、各種データから本編再生状態を検知する本編検知手段と、信号処理手段が、電源投入後、前記Ｆｉｒｓｔ
Ｐｌａｙｂａｃｋが有ると判断すると、メニュー検知手段によるメニュー状態の検知、または本編検知手段による本編再生状態の検知があるまで、現在再生中のタイトルを通常の１倍速再生より速く再生するユーザー操作を自動実行するユーザー操作手段とを備える。
【発明の効果】
【００１６】
本発明によれば、自動的にファーストプレイの再生時間を短縮し、メニュー表示もしくは本編再生へ進む時間を短くすることができるディスク再生装置を提供することが可能である。特に、続き再生（レジューム再生）機能の実施が実用上難しいＢＤ−Ｊタイトルを、電源の入切が多い車載環境で再生する際に効果的である。
【図面の簡単な説明】
【００１７】
【図１】本実施の形態に係るディスク再生装置１００のブロック図
【図２】本実施の形態に係るＢＤ−ＲＯＭの構成を示した図
【図３】本実施の形態に係るindex.bdmvファイルとタイトルの関係を示す図
【図４】本実施の形態に係るディスク再生装置１００を用いたシステム構成を示す図
【図５】本実施の形態に係るディスク再生装置１００の動作説明のためのフロー図
【図６】本実施の形態に係るムービープレイリスト（Ｍｏｖｉｅ  Ｐｌａｙｌｉｓｔ）の構造を示す図
【発明を実施するための形態】
【００１８】
以下、本実施の形態に係るディスク再生装置１００のブロック図である図１を用いて説明する。
【００１９】
ディスク再生装置１００は、ＢＤ−ＲＯＭ１０からデータを取得するピックアップ１１、ピックアップ１１を制御するサーボ１２、ローカルストレージ１３、ネットワークインターフェース１４、信号処理手段１５、再生手段１６から構成される。また、信号処理手段１５は、メニュー検知手段１７、本編検知手段１８、ユーザー操作手段１９から構成される。
【００２０】
図１に示すＢＤ−ＲＯＭ１０は、映画作品やライブ映像などのＡＶコンテンツが記録された記録媒体である。
【００２１】
サーボ１２は、ピックアップ１１を記録媒体の半径方向へ移動（シーク）させたり、記録媒体の軸方向への移動（フォーカス）を調整する装置である。そして、ピックアップ１１は、所望のデータをＢＤ−ＲＯＭ１０から取得し、そのデータを信号処理手段１５に送る。
【００２２】
信号処理手段１５が処理するデータは、ＢＤ−ＲＯＭ１０のものだけではなく、ローカルストレージ１３に保存されているデータや、ネットワークインターフェース１４を経由してネットワーク上からダウンロードされたデータも含まれる。信号処理手段１５は、これらのデータを処理をして、再生手段１６がＡＶコンテンツなどを再生できるようにするための手段である。
【００２３】
再生手段１６は、前記信号処理手段１５が処理したデータを後述するテレビ１３などが再生可能な状態へと変換する機能を有する。
【００２４】
メニュー検知手段１７は、信号処理手段１５に含まれ、メニュー画面が表示されているか否かを検知する機能を有する。メニュー画面には、ボタンが複数個表示され、それぞれのボタンをユーザーが選択しボタン決定を実行することにより、選択されたボタンに従いＵＯ（ユーザーオペレーション、以降ユーザー操作と呼ぶ）を実行し、次の状態に移行する。ここで、ユーザー操作とは、メニュー画面のボタン操作、メニュー移動、タイトルスキップ、ストップ、チャプター選択、早送り、逆戻しなど、ユーザーがパッケージソフトを視聴する際の操作のことである。メニュー検知手段１７の詳細は、後述する。
【００２５】
信号処理手段１５は、ユーザー操作の内容を受け、その操作が受け付け可能かどうかを判断したり、受付可能な場合はユーザー操作手段１９にその操作を実行させる。また、一般的にディスク挿入直後にメニュー画面の再生を行うように設定されていれば、メニュー画面が再生された時点で、映画等の本編を再生するためのボタンが予め選択されている場合が大半を占めている。この場合、メニュー画面が再生された時点で選択されているボタンのユーザー操作を実行し、次の状態へ移行すれば本編が再生される。
【００２６】
本編検知手段１８は、本編再生状態を検知する機能を有する。詳しくは、後述する。
【００２７】
次に、ＢＤ−ＲＯＭ１０のファイル構成について図２を用いて説明する。
【００２８】
図２は、ＢＤ−ＲＯＭ１０の構成を示した図である。ＢＤ−ＲＯＭ１０は、他の光ディスク、例えばＤＶＤやＣＤなどと同様にその内周から外周に向けて螺旋状に記録領域を持ち、内周のリード・インと外周のリード・アウトの間に論理データを記録できる論理アドレス空間を有している。また、リード・インの内側にはＢＣＡ（Ｂｕｒｓｔ  Ｃｕｔｔｉ
ｎｇ  Ａｒｅａ）と呼ばれる、ドライブでしか読み出せない特別な領域がある。この領域はアプリケーションから読み出せないため、例えば著作権保護技術などに利用されている。
【００２９】
論理アドレス空間は、ファイルシステム情報（ボリューム）を先頭に映像データなどのアプリケーションデータが記録されている。ファイルシステムとは、ＵＤＦやＩＳＯ９６６０などのことであり、通常のＰＣと同じように記録されている論理データをディレクトリ、ファイル構造を使って読み出しする事が可能になっており、２５５文字のファイル名、ディレクトリ名を読み出すことが可能である。
【００３０】
本実施の形態の場合、ＢＤ−ＲＯＭ１０のディスク上のディレクトリ、ファイル構造は、ルートディレクトリ（ＲＯＯＴ）直下にＢＤＭＶディレクトリとｂｄ．ｃｅｒｔファイルが置かれている。ＢＤＭＶディレクトリはＢＤ−ＲＯＭ１０で扱うＡＶコンテンツや管理情報などのデータが記録されているディレクトリである。ｂｄ．ｃｅｒｔ（ファイル名固定）は仮想パッケージのために追加されたコンテンツをＢＤ−ＲＯＭ１０上のデータとマージする際に、署名検証に用いられる証明書である。
【００３１】
ＢＤＭＶディレクトリの配下には、ＰＬＡＹＬＩＳＴディレクトリ、ＣＬＩＰＩＮＦディレクトリ、ＳＴＲＥＡＭディレクトリ、ＢＤＪＯディレクトリ、ＪＡＲディレクトリと呼ばれる５つのサブディレクトリが存在し、ＢＤＭＶディレクトリには、ｉｎｄｅｘ．ｂｄｍｖ、ＭｏｖｉｅＯｂｊｅｃｔ．ｂｄｍｖの２種類のファイルが配置されている。
【００３２】
ここで、さらに詳しくｉｎｄｅｘ．ｂｄｍｖ(ファイル名固定)について説明する。ｉｎｄｅｘ．ｂｄｍｖは、ＢＤ−ＲＯＭ１０全体に関する管理情報であり、映画作品のプロバイダを特定する識別子であるｏｒｇａｎｉｚａｔｉｏｎＩＤ(３２ｂｉｔ)や、プロバイダが提供するＢＤ−ＲＯＭ１０のそれぞれに割り当てられた識別子であるｄｉｓｃＩＤ(１２８ｂｉｔ)等の情報を持ち、ディスク再生装置１００へのディスク挿入後に、ｉｎｄｅｘ．ｂｄｍｖが最初に読み出されることで、ディスク再生装置１００においてディスクが一意に認識される。加えて、ｉｎｄｅｘ．ｂｄｍｖにはＢＤ−ＲＯＭ１０において再生可能となる複数のタイトルと、個々のタイトルを規定するＢＤ−Ｊオブジェクトとを対応付けて示すテーブルが含まれる。
【００３３】
図３は、ｉｎｄｅｘ．ｂｄｍｖファイルとタイトルの関係を示す図である。タイトルとは、アプリケーションとＡＶストリームを組にした再生単位であり、ｉｎｄｅｘ．ｂｄｍｖファイルにはディスク上のタイトル構成が記載されており、ディスク上の各タイトルと、対応するアプリケーション（ＢＤ−ＪモードタイトルであればＪａｖａ（登録商標）アプリケーション、ＨＤＭＶモードタイトルであればシナリオプログラム）の参照関係を管理している。また、特殊なタイトルとして「Ｆｉｒｓｔ Ｐｌａｙｂａｃｋ」と「Ｔｏｐ Ｍｅｎｕ」が存在する。「Ｆｉｒｓｔ Ｐｌａｙｂａｃｋ」は、ＢＤ起動時に最初に自動的に再生されるタイトルのことである。なお、前述のファーストプレイは、Ｆｉｒｓｔ Ｐｌａｙｂａｃｋを含む、本編再生やメニュー表示の前に再生されるタイトルのことである。なお、Ｆｉｒｓｔ Ｐｌａｙｂａｃｋにファーストプレイとして再生するタイトルの場所が記述されている場合もある。主に、ＢＤの利用規約表示などに用いられる。「Ｔｏｐ Ｍｅｎｕ」はリモコンのメニューキーを押したときやタイトル再生が終了したときに再生され、主にタイトルの選択や、字幕や音声の言語選択を行うことに用いられる。
【００３４】
ここで、本実施の形態に係るディスク再生装置１００のシステムとしての使用形態の一例を図４に示し説明する。例えば、ディスク再生装置１００は、ＢＤ−ＲＯＭ１０、リムーバブルメディア４２、モニタ４３、ＷＷＷサーバー４４、リモコン４５とシステム構成される。
【００３５】
モニタ４３は、映像を表示する装置であり、ユーザーに対して操作メニューを表示する機能も有する。よって、ユーザーは視覚的にディスク再生装置１００を操作することができる。
【００３６】
リモコン４５は、ディスク再生装置１００に対する遠隔的にユーザー操作を実施するための装置である。ユーザーは、リモコン４５やディスク再生装置１００上のボタンを操作すれば、ＢＤ−ＲＯＭ１０に記録されたコンテンツを再生することができる。
【００３７】
ＷＷＷサーバー４４は、ディスク再生装置１００がネットワークインターフェース１４を経由してネットワーク上からダウンロードする際のデータを保有している場所である。
【００３８】
リムーバブルメディア４２は、ＢＤ−Ｊタイトルを再生する際に使用されたり、各種データの保管を行う。
【００３９】
このシステム構成を車両に取付けることも可能であり、その場合、ディスク再生装置１００とモニタ４３が一体となる構成も存在する。
【００４０】
次にローディング後からメニュー及び本編までの遷移について図５のフロー図を用いて説明する。
【００４１】
ディスク再生装置１００は、ＢＤ−ＲＯＭ１０をローディングすると（ステップ５０）、まずディスク管理情報を取得する（ステップ５１）。次に、信号処理手段１５は、ｉｎｄｅｘ．ｂｄｍｖを読みこみ、Ｆｉｒｓｔ Ｐｌａｙｂａｃｋの有無を確認する（ステップ５２）。Ｆｉｒｓｔ Ｐｌａｙｂａｃｋが存在している場合、Ｆｉｒｓｔ Ｐｌａｙｂａｃｋの指示に従いファーストプレイを再生するよう再生手段１６に指示する。そして、信号処理手段１５は、ステップ５１で取得したディスク管理情報の現在再生している箇所のＵＯマスク情報をＲＡＭ等のメモリ（図示省略）に一時保持する。また、Ｆｉｒｓｔ Ｐｌａｙｂａｃｋが無い場合、通常の再生を行う。なお、Ｆｉｒｓｔ Ｐｌａｙｂａｃｋが無い場合、ユーザー操作が無ければ再生動作へと進まないタイトルも有りうるが、その場合は、ユーザー操作を待って、通常再生へと進むようにすれば良い。
【００４２】
なお、ファーストプレイは、ＵＯマスクにより、ユーザー操作に対して機能制限することができる。ＵＯマスクが設定されている場合、ユーザー操作が行われても、それを受け付ける信号処理手段１５が無視することでユーザー操作に制限をかける。この機能により、コンテンツプロバイダーの意図した動作を実現することが可能となる。
【００４３】
次に、ファーストプレイにＵＯマスクによるユーザー操作制限が無い場合に、より早くメニューもしくは本編に自動的に遷移する手順について説明する。なお、次に説明するユーザー操作であるＭｅｎｕ  Ｃａｌｌ、Ｃｈａｐｔｅｒ  Ｓｅａｒｃｈ、Ｓｋｉｐ  ｔｏ
Ｎｅｘｔ  Ｐｏｉｎｔ、Ｔｉｍｅ  Ｓｅａｒｃｈ、Ｆｏｒｗａｒｄ  ＰｌａｙのＵＯマスク情報は、図２に示すＰＬＡＹ  ＬＩＳＴディレクトリにＰｌａｙＬｉｓｔ毎にそれぞれ格納されている。なお、ＵＯマスク情報は、その他のディレクトリの管理情報に記載されていることもある。次に、各ユーザー操作を説明する。
【００４４】
Ｍｅｎｕ  Ｃａｌｌは、インデックステーブルで定義されているトップメニュータイトルに遷移させるユーザー操作である。もし該当するタイトルが存在しない場合は、そのユーザー操作は無視される。
【００４５】
Ｃｈａｐｔｅｒ  Ｓｅａｒｃｈは、再生中のムービータイトル内のｃｈａｐｔｅｒ＿ｎ
ｕｍｂｅｒによって指定された位置で再生を始める。指定されたｃｈａｐｔｅｒ＿ｎｕｍｂｅｒがムービータイトル内に存在しない場合は、そのユーザー操作は無視される。
【００４６】
Ｔｉｍｅ  Ｓｅａｒｃｈは、再生中のムービータイトル内の経過時間によって指定された位置から再生を開始する。ムービータイトル内に指定された経過時間が存在しない場合は、そのユーザー操作は無視される。
【００４７】
Ｓｋｉｐ  ｔｏ  Ｎｅｘｔ  ｐｏｉｎｔは、再生中のタイトル内にある次のＥｎｔｒｙ＿ｍａｒｋ位置に遷移する操作である。Ｅｎｔｒｙ＿ｍａｒｋの多くはチャプターの区切りに使われる。Ｅｎｔｒｙ＿ｍａｒｋ位置が時間的に経過する方向の再生タイトルに無ければ、そのユーザー操作は無視される。
【００４８】
Ｆｏｒｗａｒｄ  Ｐｌａｙは、時間的に経過する方向に、指定した速度で再生する操作である。ディスク再生装置１００が指定された再生速度をサポートしていない場合は、サポートしている最も近い再生速度で再生する。
【００４９】
図５のフローに戻って、手順の説明を続ける。ステップ５１のディスク管理情報取得後、信号処理手段１５は、Ｆｉｒｓｔ Ｐｌａｙｂａｃｋの有無を確認する（ステップ５２）。Ｆｉｒｓｔ Ｐｌａｙｂａｃｋが無ければ、通常再生へと進み、Ｆｉｒｓｔ Ｐｌａｙｂａｃｋが有ればステップ６０へと進む。
【００５０】
ステップ６０では、メニュー検知手段によりメニュー状態かどうか検知する、および本編検知手段１８が本編へ遷移したかどうかを検知する。メニュー状態、もしくは本編再生中の場合は、ファーストプレイが無いか再生時間が終わっているので通常再生へと進む。メニュー状態、もしくは本編再生中でない場合は、ファーストプレイの再生時間を短縮するステップ５３以下の処理へとすすむ。なお、メニュー検知手段によりメニュー状態と検知されると、つまりメニュー状態になっていると、映画等の本編を再生するためのボタンが予め選択されている場合が大半を占めている。したがって、メニュー画面が再生された時点で選択されているボタンのユーザー操作を実行すれば本編が再生される。メニュー検知手段の処理手順および本編検知手段の処理手順は、詳しく後述する。
【００５１】
ステップ５３では、信号処理手段１５がＭｅｎｕ  ＣａｌｌのＵＯマスクを確認する。Ｍｅｎｕ  Ｃａｌｌが許可されている場合（ＵＯマスクによるユーザー操作制限が無い場合）は、Ｍｅｎｕ  Ｃａｌｌを実施しステップ６０へ戻る。Ｍｅｎｕ  Ｃａｌｌが禁止されている場合（ＵＯマスクによるユーザー操作制限が有る場合）は、ステップ５４へ進む。
【００５２】
ステップ５４では、Ｔｉｍｅ  Ｓｅａｒｃｈが許可されていると、ファーストプレイの最終チャプターの最終時刻へのＴｉｍｅ  Ｓｅａｒｃｈを実施し、ステップ６０へ戻る。Ｔｉｍｅ  Ｓｅａｒｃｈが禁止されていると、ステップ５５へ進む。
【００５３】
ステップ５５では、Ｃｈａｐｔｅｒ  Ｓｅａｒｃｈが許可されていると、ステップ５６へ進み、Ｃｈａｐｔｅｒ  Ｓｅａｒｃｈが禁止されている際、もしくはタイトル内の最終チャプターに遷移するなどタイトル内に再生するチャプターが一つの場合は、ステップ５７へ進む。
【００５４】
ステップ５６では、複数チャプターの有無を確認し、複数のチャプターがあると、Ｃｈａｐｔｅｒ  Ｓｅａｒｃｈを実施し、そのタイトル内の最終チャプターへ遷移した後、ステップ５７へ進む。なお、ステップ５６において、タイトル内に再生するチャプターが一つか否かを判断してもよい。
【００５５】
ステップ５７では、Ｓｋｉｐ  ｔｏ  Ｎｅｘｔ  Ｐｏｉｎｔが許可されていると、そのタイトル内の最終ポイントへ遷移するまでＳｋｉｐ  ｔｏ  Ｎｅｘｔ  Ｐｏｉｎｔを実施した後、ステップ５８へ進む。Ｓｋｉｐ  ｔｏ  Ｎｅｘｔ  Ｐｏｉｎｔが禁止されていると、そのままステップ５８へ進む。
【００５６】
ステップ５８では、Ｆｏｒｗａｒｄ  Ｐｌａｙが許可されていると、Ｆｏｒｗａｒｄ  Ｐｌａｙのユーザー操作を実施し、そのチャプターの最終時刻まで実行可能な最大速度で早送りする。Ｆｏｒｗａｒｄ  Ｐｌａｙが禁止されていると、ステップ６０へ戻る。
【００５７】
ここで、メニュー画面へ遷移したことを検知するメニュー検知手段１７の動作について図６を用いて詳しく説明する。
【００５８】
ＢＤ−ＲＯＭディスクは大きく分けてＨＤＭＶモードタイトルとＢＤ−Ｊモードタイトルがあることは前述の通りである。また、ＢＤ−ＲＯＭ１０のトップメニューは規格によりタイトル番号に０を割り当てるよう決められている。
【００５９】
ＨＤＭＶモードタイトルでは、インデックステーブルに各タイトル毎のタイトル番号が記載されている。そのため、メニュー検知手段１７は、再生中のタイトル番号が０であるかを確認することで画面がメニュー状態であることを検知する。
【００６０】
しかしながら、ＢＤ−Ｊモードタイトルでは、インデックステーブルに各タイトル毎のタイトル番号は記載されておらず、代わりに、再生すべきファイル名が記載されている。そのため、メニュー検知手段１７は再生中のタイトル番号が検知できないので、画面がメニュー状態であることを検知できない。ここで、本実施の形態では、図６に示すムービープレイリスト（Ｍｏｖｉｅ  ＰｌａｙＬｉｓｔ）の構造を解析することによりメニュー状態にあるか判断する。
【００６１】
図６に示すように、ＨＤＭＶモードタイトルおよびＢＤ−Ｊモードタイトルは、１つもしくは複数のムービープレイリスト（Ｍｏｖｉｅ Ｐｌａｙｌｉｓｔ）で構成され、各ムービープレイリストは、さらに１つもしくは複数のプレイアイテム（ＰｌａｙＩｔｅｍ）により構成される。プレイアイテムはあるクリップの再生開始位置（Ｉｎ）と再生終了位置（Ｏｕｔ）情報を持っており、これにより、ムービープレイリストは複数のクリップから再生したい部分だけを任意に繋げて再生することができる。なお、クリップとは１つの映像単位を指す。
【００６２】
そこで、メニュー検知手段１７は、再生中のムービープレイリストの構造を解析し、同じプレイリストを例えば２０回以上繰り返しているときは、メニュー状態であると判断する。そして、メニュー状態と判断すると通常再生へ進む。メニュー状態でなければ、ステップ５３以下の処理へ所定回数進んだ後、通常再生へ進む。
【００６３】
次に、本編検知手段１８が本編へ遷移したことを検知するが、以下にその条件を説明する。
【００６４】
本編検知手段１８は、ディスク管理情報が次の条件（１）から（６）のいずれかを満たすことで本編に遷移したと検知する。ディスク管理情報は、図２のＰＬＡＹＬＩＳＴディレクトリ等に保持され、以下の条件（１）から（６）を判断することができる情報が含まれている。
【００６５】
条件（１）は、ＰＯＰ−ＵＰ  ＭＥＮＵが存在するプレイリストであること。
【００６６】
条件（２）は、プレイアイテムが１５分以上かつＵＯマスクがないこと。
【００６７】
条件（３）は、プレイアイテムが１５分以上かつ複数チャプターが存在すること。
【００６８】
条件（４）は、プレイアイテムが１５分以上かつ複数字幕が存在すること。
【００６９】
条件（５）は、プレイアイテムが１５分以上かつ複数音声が存在すること。
【００７０】
条件（６）は、プレイアイテムが１５分以上かつプレイリストとプレイアイテムの再生時間が同じもしくはほぼ同じこと。
【００７１】
以上の条件で本編が検知できない場合、所定回数ステップ５３以下の処理へと進み、所定回数本編が検知できなければ通常再生を行う。なお、条件（２）から（６）におけるプレイアイテムの時間１５分は一例である。１５分以上のファーストプレイを有するタイトルがほとんど存在しないことに着目したものである。このように、本編検知手段１８がプレイアイテムの時間を用いて判断することにより、非常に高い確率で本編に遷移したことを検知することが可能となる。
【００７２】
以上により、車両走行中に運転手が操作する事ができない車載環境において、ファーストプレイの再生時間を短縮し、メニューもしくは本編再生へ進むことが可能となる。よって、メニューもしくは本編再生までの時間を短縮する事ができる。特に、続き再生（レジューム再生）機能の実施が実用上難しいＢＤ−Ｊタイトルにおいては、電源を切る事が家庭用光ディスク再生装置よりも多い車載環境で、より効果的である。
【００７３】
なお、すべてのユーザー操作が禁止されているときはコンテンツプロバイダーがユーザーに対して通常の１倍速再生で視聴する事を期待していると考えられるので、１倍速で再生する。
【００７４】
また、ユーザーがＣＭや予告編を見たい場合もあり得るので、図５のフロー実行中に再生等のユーザー操作を受け付ける機能を入れてもよい。なお、初期設定でこの機能のオンとオフを設定可能としてもよい。
【産業上の利用可能性】
【００７５】
以上のように、本発明にかかるディスク再生装置は、ＢＤ−ＲＯＭディスク等の記録媒体に記録されたデータを再生するディスク再生装置として有用である。
【符号の説明】
【００７６】
１０  ＢＤ−ＲＯＭ
１１  ピックアップ
１２  サーボ
１３  ローカルストレージ
１４  ネットワークインターフェース
１５  信号処理手段
１６  再生手段
１７  メニュー検知手段
１８  ボタン決定実行手段
１９  ユーザー操作手段
１００  ディスク再生装置
４２  リームバブルメディア
４３  モニタ
４４  ＷＷＷサーバ
４５  リモコン
【図１】
2011155559.tif 000003
【図２】
2011155559.tif 000004
【図３】
2011155559.tif 000005
【図４】
2011155559.tif 000006
【図５】
2011155559.tif 000007
【図６】
2011155559.tif 000008